(57)【特許請求の範囲】
【請求項１】
第１方向に相対向する一対の第１壁部と、前記第１方向に略直交する第２方向に相対向する一対の第２壁部とにより、前記第２方向よりも前記第１方向に長い筒状に形成されたケースと、
前記ケース内の前記第２壁部に接近した箇所で前記第１方向に延び、フィン軸を支点として前記第２方向へ傾動する一対の補助フィンと、
前記両補助フィン間で前記第１方向に延び、フィン軸により前記第１壁部に対し、前記第２方向へ傾動可能に支持されたメインフィンと、
前記メインフィンの傾動に応じ、前記各補助フィンを、その上流端及び下流端の少なくとも一方を前記第２壁部に接近させた状態で傾動させる連動機構と
を備え、前記連動機構は、
少なくとも一部が前記第１壁部の前記第２壁部に接近した箇所に形成され、前記各補助フィンの前記フィン軸が、前記第２壁部に対し接近及び離間する方向へ移動可能に挿通される一対の軸受部と、
前記第１壁部の外側に配置され、かつ前記軸受部に挿通された前記フィン軸に対し一対ずつ連結された伝達軸と、
前記第１壁部の外側に回動可能に配置されるとともに、溝部又は長孔からなり、かつ前記各伝達軸が係合される被係合部を有するカム部材と、
前記メインフィンの傾動を前記カム部材に伝達して同カム部材を回動させる伝達部と
を備えることを特徴とする空調用レジスタ。
【請求項２】
前記メインフィンの前記フィン軸は前記第１壁部を貫通しており、
前記伝達部は、
前記第１壁部の外側で前記フィン軸から同フィン軸に直交する方向へ延びるアームと、
前記アームの前記フィン軸から偏倚した箇所に設けられた伝達軸と、
前記カム部材に形成された溝部又は長孔からなり、前記伝達軸が係合される伝達被係合部と
を備える請求項１に記載の空調用レジスタ。
【請求項３】
前記メインフィンの前記フィン軸は前記第１壁部を貫通しており、
前記伝達部は、
前記第１壁部の外側で前記フィン軸に一体回動可能に設けられた駆動ギヤと、
前記駆動ギヤに噛み合わされた状態で前記カム部材に設けられた被動ギヤと
を備える請求項１に記載の空調用レジスタ。
【請求項４】
前記各補助フィンの前記フィン軸は、同補助フィンの厚み方向についての中央部よりも最寄りの前記第２壁部側へ偏倚した箇所に設けられている請求項１〜３のいずれか１つに記載の空調用レジスタ。
【請求項５】
前記軸受部の一部は、前記第２壁部の前記第１壁部との境界部分に形成されている請求項４に記載の空調用レジスタ。
【発明の詳細な説明】
【技術分野】
【０００１】
本発明は、空調装置から送られてきて室内に吹き出す空調用空気の向きをフィンにより変更する空調用レジスタに関する。
【背景技術】
【０００２】
車両のインストルメントパネルには、空調装置から送られてきて車室内に吹き出す空調用空気の向きを変更等するための空調用レジスタが組込まれている。この空調用レジスタの一形態として、インストルメントパネル内に配置される他の機器の設置スペースを確保するために、縦方向と横方向とで寸法が大きく異なるタイプ、例えば、横方向の寸法が縦方向の寸法よりも大きな薄型の空調用レジスタが従来から種々考えられている。
【０００３】
この空調用レジスタでは、それぞれ略車幅方向に延びる複数のフィンが、互いに略上下方向に略平行に並べられた状態で、高さの低い四角筒状をなすケース内の通風路に配置されている。複数のフィンは、一対の補助フィンと、両補助フィン間に配置されたメインフィンとを備えている。両補助フィン及びメインフィンは、それらの車幅方向についての両端面から突出するフィン軸により、ケースの左右の壁部に対し、それぞれ略上下方向へ傾動可能に支持されている。
【０００４】
ここで、上記空調用レジスタでは、吹出口から吹き出される空気の指向性を向上させるために、メインフィンの傾動に連動して、両補助フィンをメインフィンに略平行となるように傾動させることが望ましい。また、上記空調用レジスタでは、メインフィンと補助フィンとの間に空気の流路を確保するために、各補助フィンが上下の壁部に接近した箇所で傾動されることが望ましい。
【０００５】
そこで、メインフィンの傾動に応じ、各補助フィンを、その上流端及び下流端の少なくとも一方を上下の壁部に接近させた状態で、メインフィンに対し略平行となるように傾動させる空調用レジスタが提案されている。この空調用レジスタでは、メインフィンが上下の壁部に対し略平行にされたときには、各補助フィンが、その上流端及び下流端を上下の壁部に接近させた状態で同壁部に対し略平行にされる。
【０００６】
また、メインフィンが下流側ほど高くなるように傾斜させられた場合には、上側の補助フィンが下流端を上側の壁部に接近させた状態で下方へ傾動される。下側のフィンが上流端を下側の壁部に接近させた状態で上方へ傾動される。
【０００７】
上記とは逆に、メインフィンが下流側ほど低くなるように傾斜させられた場合には、上側の補助フィンが上流端を上側の壁部に接近させた状態で下方へ傾動される。下側のフィンが下流端を下側の壁部に接近させた状態で上方へ傾動される。
【０００８】
メインフィン及び両補助フィンを上記のように作動させるための機構としては、例えば特許文献１に記載されたものが挙げられる。
図３０（ａ）〜（ｃ）に示すように、特許文献１では、メインフィン１０１の端面から、フィン軸１０２及び伝達軸１０３がそれぞれ突出している。ケース１０４の左右の壁部１０５には、軸受部１０７が貫通されるとともに、軸受部１０７を中心とする円弧状の長孔１０８が貫通されている。そして、フィン軸１０２が軸受部１０７に回動可能に支持され、伝達軸１０３が長孔１０８に変位可能に挿通されている。
【０００９】
補助フィン１１１の端部にはアーム１１２が形成されている。アーム１１２からはフィン軸１１３が突出している。補助フィン１１１の端面からは、一対の伝達軸１１４が突出している。ケース１０４の左右の壁部１０５において、長孔１０８の上方には、１つの軸受部１１５と、一対のカム孔１１６とが貫通されている。なお、図示しないが、左右の壁部１０５において長孔１０８の下方にも、上記と同様、１つの軸受部及び一対のカム孔が貫通されている。そして、各補助フィン１１１のフィン軸１１３が軸受部１１５に変位可能及び回動可能に挿通され、各伝達軸１１４が各カム孔１１６に変位可能に挿通されている。
【００１０】
さらに、左右の壁部１０５の外側には板状のカム部材１１７が昇降可能に配置されている。カム部材１１７には、長孔１１８及びカム孔１１９が貫通されている。そして、伝達軸１０３が長孔１１８に変位可能に挿通され、フィン軸１１３がカム孔１１９に変位可能に挿通されている。
【００１１】
このように構成された特許文献１に記載の機構によれば、フィン軸１０２を支点としてメインフィン１０１が上下方向へ傾動されると、伝達軸１０３がフィン軸１０２の周りを旋回する。旋回する伝達軸１０３の動きが長孔１１８の壁面を通じてカム部材１１７に伝わり、同カム部材１１７が昇降させられる。この昇降に応じ、軸受部１１５及びカム孔１１９の交差する箇所が変化し、同箇所に位置するフィン軸１１３の位置が変化する。これに伴い、各伝達軸１１４が各カム孔１１６内を移動する。その結果、メインフィン１０１の傾動に応じ、各補助フィン１１１が、その上流端及び下流端の少なくとも一方をケース１０４の上下の壁部１０６に接近させた状態で、メインフィン１０１に対し略平行となるように傾動させられる。吹出口から吹き出される空気の指向性が向上するとともに、メインフィン１０１と補助フィン１１１との間に空調用空気の流路が確保される。
【先行技術文献】
【特許文献】
【００１２】
【特許文献１】欧州特許出願公開第２６０２１３７号明細書
【発明の概要】
【発明が解決しようとする課題】
【００１３】
ところが、上述した特許文献１に記載された空調用レジスタでは、補助フィン１１１を傾動させるためにカム部材１１７が昇降された際に、そのカム部材１１７が上側の壁部１０６から上方へはみ出したり、下側の壁部１０６から下方へはみ出したりし、ケース１０４の周辺の部品と干渉するおそれがある。また、左右の各壁部１０５に、多数の孔部（長孔１０８，軸受部１１５、一対のカム孔１１６）が貫通されているため、ケース１０４の内側から左右の壁部１０５を見た場合に多くの孔部が見えてしまい、見栄えがよくないという問題もある。
【００１４】
本発明は、このような実情に鑑みてなされたものであって、その目的は、カム部材がケースの周辺の部品と干渉するのを抑制するとともにケースの壁部の見栄えの向上を図ることのできる空調用レジスタを提供することにある。
【課題を解決するための手段】
【００１５】
上記課題を解決する空調用レジスタは、第１方向に相対向する一対の第１壁部と、前記第１方向に略直交する第２方向に相対向する一対の第２壁部とにより、前記第２方向よりも前記第１方向に長い筒状に形成されたケースと、前記ケース内の前記第２壁部に接近した箇所で前記第１方向に延び、フィン軸を支点として前記第２方向へ傾動する一対の補助フィンと、前記両補助フィン間で前記第１方向に延び、フィン軸により前記第１壁部に対し、前記第２方向へ傾動可能に支持されたメインフィンと、前記メインフィンの傾動に応じ、前記各補助フィンを、その上流端及び下流端の少なくとも一方を前記第２壁部に接近させた状態で傾動させる連動機構とを備え、前記連動機構は、少なくとも一部が前記第１壁部の前記第２壁部に接近した箇所に形成され、前記各補助フィンの前記フィン軸が、前記第２壁部に対し接近及び離間する方向へ移動可能に挿通される一対の軸受部と、前記第１壁部の外側に配置され、かつ前記軸受部に挿通された前記フィン軸に対し一対ずつ連結された伝達軸と、前記第１壁部の外側に回動可能に配置されるとともに、溝部又は長孔からなり、かつ前記各伝達軸が係合される被係合部を有するカム部材と、前記メインフィンの傾動を前記カム部材に伝達して同カム部材を回動させる伝達部とを備えている。
【００１６】
上記の構成によれば、メインフィンが傾動されると、その傾動が、伝達部によって、第１壁部の外側のカム部材に伝達され、同カム部材が回動する。これに伴い、カム部材に設けられ被係合部が、同カム部材の回動中心の周りを旋回する。この旋回に伴い、被係合部に挿通された補助フィン毎の伝達軸が同被係合部の内壁面によって押圧される。この押圧により、各補助フィンが、軸受部内で第２壁部に対し接近及び離間する方向へ移動するフィン軸を支点として傾動される。この傾動は、各補助フィンの上流端及び下流端の少なくとも一方が第２壁部に接近させられた状態で行なわれる。そして、通風路を流れる空調用空気は、メインフィン及び補助フィンに沿って流れた後、ケースから吹き出す。
【００１７】
ここで、カム部材はメインフィンの傾動に応じて回動することで、補助フィン毎の伝達軸の位置を変えて、フィン軸を支点として補助フィンを傾動させる。そのため、昇降することで補助フィンを傾動させるタイプのカム部材とは異なり、回動するカム部材がケースから第２方向についての外方へはみ出し、ケースの周辺の部品と干渉することが起こりにくい。
【００１８】
また、補助フィン毎の一対の伝達軸は第１壁部の外側に配置され、第１壁部に挿通されない。これらの伝達軸を挿通させるための孔部が第１壁部に不要となる。その分、第１壁部に貫通される孔部の数が少なくなる。従って、ケースの内側から第１壁部を見た場合に、多くの貫通した孔部が見えない。
【００１９】
上記空調用レジスタにおいて、前記メインフィンの前記フィン軸は前記第１壁部を貫通しており、前記伝達部は、前記第１壁部の外側で前記フィン軸から同フィン軸に直交する方向へ延びるアームと、前記アームの前記フィン軸から偏倚した箇所に設けられた伝達軸と、前記カム部材に形成された溝部又は長孔からなり、前記伝達軸が係合される伝達被係合部とを備えることが好ましい。
【００２０】
上記の構成によれば、メインフィンがフィン軸を支点として傾動されると、アームを介してフィン軸に連結された伝達軸がフィン軸の周りを旋回する。この伝達軸の動きが伝達被係合部を通じてカム部材に伝達され、同カム部材が回動中心を支点として回動する。
【００２１】
ここで、上記アーム及び伝達軸は第１壁部の外側に配置され、第１壁部に挿通されない。メインフィンは、フィン軸においてのみ第１壁部に挿通されている。そのため、第１壁部を貫通する孔部が少なくなり、ケースの内側から第１壁部を見た場合に、見える孔部の数がより一層少なくなる。
【００２２】
上記空調用レジスタにおいて、前記メインフィンの前記フィン軸は前記第１壁部を貫通しており、前記伝達部は、前記第１壁部の外側で前記フィン軸に一体回動可能に設けられた駆動ギヤと、前記駆動ギヤに噛み合わされた状態で前記カム部材に設けられた被動ギヤとを備えることが好ましい。
【００２３】
上記の構成によれば、メインフィンがフィン軸を支点として傾動されると、駆動ギヤがフィン軸と一体となって回動する。この駆動ギヤの回動は、同駆動ギヤに噛み合わされた被動ギヤを介してカム部材に達され、同カム部材が回動中心を支点として回動する。
【００２４】
ここで、駆動ギヤは第１壁部の外側に配置され、第１壁部に挿通されない。メインフィンは、フィン軸においてのみ第１壁部に挿通されている。そのため、第１壁部を貫通する孔部が少なくなり、ケースの内側から第１壁部を見た場合に、見える孔部の数がより一層少なくなる。
【００２５】
上記空調用レジスタにおいて、前記各補助フィンの前記フィン軸は、同補助フィンの厚み方向についての中央部よりも最寄りの前記第２壁部側へ偏倚した箇所に設けられていることが好ましい。
【００２６】
フィン軸が上記の条件を満たす箇所に設けられることで、軸受部も最寄りの第２壁部側へ偏倚した箇所に設けられる。従って、ケースの内側から第１壁部を見た場合、軸受部のうち補助フィンの奥側に位置する部分が多くなる。これに伴い、軸受部のうち見えない部分が多くなり、第１壁部の見栄えがより一層向上する。
【００２７】
上記空調用レジスタにおいて、前記軸受部の一部は、前記第２壁部の前記第１壁部との境界部分に形成されていることが好ましい。
軸受部の一部が上記の条件を満たす箇所に設けられることで、軸受部は第２壁部側へ最も偏倚した箇所に位置することとなる。従って、ケースの内側から第１壁部を見た場合、軸受部のうち補助フィンの奥側に位置する部分が最も多くなる。これに伴い、軸受部のうち見えない部分が最も多くなり、第１壁部の見栄えが効果的に向上する。
【発明の効果】
【００２８】
上記空調用レジスタによれば、カム部材がケースの周辺の部品と干渉するのを抑制するとともにケースの壁部の見栄えの向上を図ることができる。
【図面の簡単な説明】
【００２９】
【図１】空調用レジスタの第１実施形態を示す図であり、メインフィンが略水平にされた空調用レジスタの斜視図。
【図２】図１の空調用レジスタの右側面図。
【図３】図１の空調用レジスタの左側面図。
【図４】図１の空調用レジスタの構成部品の一部を示す分解斜視図。
【図５】同じく図１の空調用レジスタの構成部品の一部を示す分解斜視図。
【図６】同じく図１の空調用レジスタの構成部品の一部を示す分解斜視図。
【図７】図１の空調用レジスタにおけるメインフィン及び両補助フィンを、一部を破断した状態で示すとともにカム部材を示す分解斜視図。
【図８】図１の空調用レジスタの正面図。
【図９】図８の９−９線断面図。
【図１０】図２中のアーム及び伝達軸と、周辺部分との関係を示す部分右側面図。
【図１１】図８の１１−１１線断面図。
【図１２】図８の１２−１２線断面図。
【図１３】（ａ）は、メインフィンが下流側ほど高くなるように傾斜させられた空調用レジスタの部分右側面図、（ｂ）は（ａ）中のアーム及び伝達軸と、周辺部分との関係を示す部分右側面図。
【図１４】図１１に対応する箇所での断面図であり、メインフィンが下流側ほど高くなるように傾斜させられた空調用レジスタの部分側断面図。
【図１５】図１２に対応する箇所での断面図であり、メインフィンが下流側ほど高くなるように傾斜させられた空調用レジスタの部分側断面図。
【図１６】（ａ）は、メインフィンが下流側ほど低くなるように傾斜させられた空調用レジスタの部分右側面図、（ｂ）は（ａ）中のアーム及び伝達軸と、周辺部分との関係を示す部分右側面図。
【図１７】図１１に対応する箇所での断面図であり、メインフィンが下流側ほど低くなるように傾斜させられた空調用レジスタの部分側断面図。
【図１８】図１２に対応する箇所での断面図であり、メインフィンが下流側ほど低くなるように傾斜させられた空調用レジスタの部分側断面図。
【図１９】空調用レジスタの第２実施形態を示す図であり、メインフィンが略水平にされた空調用レジスタの斜視図。
【図２０】図１９の空調用レジスタの構成部品のうち、下流側リテーナ、メインフィン及び両補助フィンを、各々の一部を破断した状態で示すとともにカム部材を示す分解斜視図。
【図２１】（ａ）は空調用レジスタの部分右側面図、（ｂ）は（ａ）中のアーム及び伝達軸と、周辺部分との関係を示す部分右側面図。
【図２２】図１１に対応する箇所での断面図であり、メインフィンが略水平にされた空調用レジスタの部分側断面図。
【図２３】図１２に対応する箇所での断面図であり、メインフィンが略水平にされた空調用レジスタの部分側断面図。
【図２４】（ａ）は、メインフィンが下流側ほど高くなるように傾斜させられた空調用レジスタの部分右側面図、（ｂ）は（ａ）中のアーム及び伝達軸と、周辺部分との関係を示す部分右側面図。
【図２５】図１１に対応する箇所での断面図であり、メインフィンが下流側ほど高くなるように傾斜させられた空調用レジスタの部分側断面図。
【図２６】図１２に対応する箇所での断面図であり、メインフィンが下流側ほど高くなるように傾斜させられた空調用レジスタの部分側断面図。
【図２７】（ａ）は、メインフィンが下流側ほど低くなるように傾斜させられた空調用レジスタの部分右側面図、（ｂ）は（ａ）中のアーム及び伝達軸と、周辺部分との関係を示す部分右側面図。
【図２８】図１１に対応する箇所での断面図であり、メインフィンが下流側ほど低くなるように傾斜させられた空調用レジスタの部分側断面図。
【図２９】図１２に対応する箇所での断面図であり、メインフィンが下流側ほど低くなるように傾斜させられた空調用レジスタの部分側断面図。
【図３０】従来の空調用レジスタを示す図であり、（ａ）はメインフィン及び補助フィンの部分斜視図、（ｂ）は（ａ）のメインフィン及び補助フィンがケースに支持された状態を示す部分斜視図、（ｃ）は（ｂ）のケースにカム部材が取付けられた状態を示す部分斜視図。
【発明を実施するための形態】
【００３０】
（第１実施形態）
以下、空調用レジスタの第１実施形態として、乗物としての車両に装備される空調用レジスタについて、図１〜図１８を参照して説明する。
【００３１】
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００３２】
車室内において、車両の前席（運転席及び助手席）の前方にはインストルメントパネルが設けられ、その車幅方向についての中央部、側部等には空調用レジスタが組込まれている。この空調用レジスタの主な機能は、一般的な非薄型の空調用レジスタと同様、空調装置から送られてきて車室内に吹き出す空調用空気の向きを調整すること、空調用空気の吹き出しを遮断すること等である。
【００３３】
図１及び図４〜図６に示すように、空調用レジスタは、ケース１０、下流側フィン群、上流側フィン群、操作ノブ４０、連動機構６０、シャットダンパ７５及びダンパ駆動機構８０を備えている。次に、空調用レジスタを構成する各部の構成について説明する。
【００３４】
＜ケース１０＞
ケース１０は、空調装置の通風ダクト（図示略）と、インストルメントパネルに設けられた開口（図示略）とを繋ぐためのものであり、上流側リテーナ１１、下流側リテーナ１２及びベゼル１３を備えている。ケース１０は、両端が開放され、かつ横方向の寸法が縦方向の寸法よりも大きな四角筒状をなしている。このケース１０の内部空間は、空調用空気Ａの流路（以下「通風路２０」という）とされている。
【００３５】
ここで、通風路２０での空調用空気Ａの通風方向に直交する面上において、互いに略直交する２方向の一方を第１方向とし、他方を第２方向とする。第１実施形態では、車幅方向を第１方向とし、上下方向を第２方向としている。なお、本明細書では、「通風方向」は、下流側フィン群及び上流側フィン群によって向きを変えられる前に空調用空気Ａが流れる方向をいうものとする。また、空調用レジスタの各部の位置関係を説明するに当たり、通風路２０に近づく側を「内側」、「内方」等といい、通風路２０から遠ざかる側を「外側」、「外方」等というものとする。
【００３６】
上流側リテーナ１１は、ケース１０の最上流側部分を構成する部材である。下流側リテーナ１２は、上流側リテーナ１１の下流側に配置されており、自身の上流側端部において上流側リテーナ１１の下流側端部に連結されている。
【００３７】
ベゼル１３は、空調用レジスタの意匠面を構成する部材であり、ケース１０の最下流側に位置し、下流側リテーナ１２に下流側から連結されている。ベゼル１３の横長長方形状をなす開口は、通風路２０の下流端を構成し、空調用空気Ａの吹出口１４となっている。ベゼル１３の第１方向（車幅方向）についての一方（図１の左方）の側部には、縦長矩形状をなす孔からなる窓部１３ａが設けられている。
【００３８】
上記通風路２０は、ケース１０の４つの壁部によって取り囲まれている。これらの４つの壁部は、互いに略平行な状態で第１方向に相対向する一対の第１壁部２１と、互いに略平行な状態で第２方向（上下方向）に相対向する一対の第２壁部２２とからなる。
【００３９】
図１１及び図１２に示すように、各第２壁部２２の下流部の内側には、収納凹部２４が通風路２０に繋がった状態で形成されている。そのため、通風路２０の下流部では、両収納凹部２４の分、上下の間隔が広くなっている。
【００４０】
図１及び図２に示すように、両第１壁部２１において、吹出口１４からそれぞれ僅かに上流側へ離れた箇所には軸受部２５が設けられている。ここでは、軸受部２５は、下流側リテーナ１２とベゼル１３との連結部分であって、第２方向についての中央部に設けられている。なお、図２ではベゼル１３の一部の図示が省略されている。この点は、図１３（ａ）及び図１６（ａ）についても同様である。
【００４１】
図５及び図１１に示すように、各第１壁部２１であって、下流側リテーナ１２とベゼル１３との連結部分の上部及び下部には、それぞれ軸受部２６，２７が設けられている。第１壁部２１毎の上下両軸受部２６，２７は、通風方向については、上記収納凹部２４に対応する箇所に位置している。第１壁部２１毎の両軸受部２６，２７は、第２方向については、第２壁部２２に接近した箇所に位置している。軸受部２６は、後述する補助フィン３３のフィン軸３４よりも上下方向に細長い形状をなしており、その上端部は上側の第２壁部２２から僅かに下方へ離れている。また、軸受部２７は、後述する補助フィン３５のフィン軸３６よりも上下方向に細長い形状をなしており、その下端部は下側の第２壁部２２から僅かに上方へ離れている。
【００４２】
図４及び図５に示すように、各第１壁部２１からは、支軸２８が第１方向についての外方へ突出している。各支軸２８は、通風方向については、軸受部２６，２７よりも僅かに上流側となる箇所に位置し、第２方向については、上下の両第２壁部２２間の中央部に位置している。左側の支軸２８は、右側の支軸２８よりも長く形成されている。
【００４３】
上下の各第２壁部２２には、複数の軸受部２９が設けられている。第２壁部２２毎の複数の軸受部２９は、上流側リテーナ１１と下流側リテーナ１２との連結部分に設けられている。また、複数の軸受部２９は、第１方向については、互いに等間隔で離れた箇所に位置している。
【００４４】
各第１壁部２１には、孔からなる軸受部３０が設けられている。第１壁部２１毎の軸受部３０は、通風方向については、支軸２８よりも上流側へ離れた箇所に位置し、第２方向については両第２壁部２２間の中央部に位置している。
【００４５】
各第１壁部２１において、メインフィン３１を支持するための軸受部２５の周辺部に貫通される孔部は、軸受部２６，２７のみである。
＜下流側フィン群＞
図５及び図７に示すように、下流側フィン群は、１つの下流側メインフィン（以下「メインフィン」という）３１と、上下一対の下流側補助フィン（以下「補助フィン」という）３３，３５とからなる。これらのメインフィン３１及び両補助フィン３３，３５は、それぞれ通風路２０内で第１方向へ延びる横長の板状体によって構成されている。
【００４６】
メインフィン３１の第１方向についての両方の端面からは、フィン軸３２がそれぞれ同方向についての外方に向けて突出している。各フィン軸３２は、通風方向については、メインフィン３１の下流端に位置している。メインフィン３１の両フィン軸３２は、軸受部２５により両第１壁部２１に対し、第２方向への傾動可能に支持されている。
【００４７】
上側の補助フィン３３は、第２方向については、上側の第２壁部２２の直下に位置している。補助フィン３３の第１方向についての両方の端面からは、フィン軸３４がそれぞれ同方向についての外方に向けて突出しており、上側の軸受部２６内に挿通されている。各フィン軸３４は、通風方向については、補助フィン３３の中央部に設けられている。各フィン軸３４は、補助フィン３３の厚み方向については、中央部よりも下側（メインフィン３１側）へ偏倚した箇所に設けられている。上側の補助フィン３３は軸受部２６内において、上側の第２壁部２２に接近及び離間する方向（上下方向）へ移動するフィン軸３４を支点として第２方向へ傾動可能である。
【００４８】
下側の補助フィン３５は、第２方向については、下側の第２壁部２２の直上に位置している。補助フィン３５の第１方向についての両方の端面からは、フィン軸３６がそれぞれ同方向についての外方に向けて突出しており、下側の軸受部２７内に挿通されている。各フィン軸３６は、通風方向については、補助フィン３５の中央部に設けられている。各フィン軸３６は、補助フィン３５の厚み方向については、中央部よりも上側（メインフィン３１側）へ偏倚した箇所に設けられている。下側の補助フィン３５は、軸受部２７内において、下側の第２壁部２２に接近及び離間する方向（上下方向）へ移動するフィン軸３６を支点として第２方向へ傾動可能である。
【００４９】
各補助フィン３３，３５の通風方向についての寸法（幅）は、メインフィン３１の同方向の寸法（幅）よりも小さく設定されている。
なお、下流側フィン群を３枚のフィン（１枚のメインフィン３１と２枚の補助フィン３３，３５）によって構成したのは、高さの低い通風路２０において、隣り合うフィンの間隔をできるだけ大きくして空調用空気Ａの流路を確保するためである。
【００５０】
＜操作ノブ４０＞
図１及び図９に示すように、操作ノブ４０は、吹出口１４からの空調用空気Ａの吹き出し方向を調整する際に乗員によって操作される部材であり、メインフィン３１上に、第１方向へのスライド可能に外嵌されている。操作ノブ４０は、メインフィン３１と一緒に、フィン軸３２を支点として第２方向へ傾動可能であり、また、メインフィン３１上をスライドすることで、第１方向へ変位可能である。操作ノブ４０の上流端には、上流側へ向けて延びる二股状のフォーク部４１が設けられている。フォーク部４１は、操作ノブ４０の第１方向への動き（スライド）を上流側フィン５０に伝達するためのものである。フォーク部４１は、操作ノブ４０の第２方向の傾動に拘わらず、第２壁部２２に対し常に略平行となるように、操作ノブ４０に傾動可能に支持されている。
【００５１】
＜上流側フィン群＞
図４及び図９に示すように、上流側フィン群は、通風路２０内の下流側フィン群よりも上流側に配列された複数の上流側フィンからなる。各上流側フィンは、それぞれ通風路２０内で第２方向へ延びる板状体によって構成されている。複数の上流側フィンは、第１方向には略等間隔で互いに略平行に離間した状態で配設されている。
【００５２】
ここで、複数の上流側フィンを区別するために、第１方向についての中央部に位置するものを「上流側フィン５０」といい、それ以外のものを「上流側フィン５１」というものとする。
【００５３】
各上流側フィン５０，５１の第２方向についての両方の端面からは、フィン軸５２がそれぞれ同方向についての外方に向けて突出している。各フィン軸５２は、通風方向については、上流側フィン５０，５１の中央部に位置している。各上流側フィン５０，５１の両フィン軸５２は、軸受部２９により両第２壁部２２に対し、第１方向への傾動可能に支持されている。
【００５４】
図４及び図１１に示すように、上側の各フィン軸５２の上端部は上側の第２壁部２２から露出しており、その上端部からは、フィン軸３２に直交する方向へ延びる長尺状のアーム５３が形成されている。各アーム５３の上流端からは、連結軸５４が上方へ突出している。上流側フィン５０，５１毎の連結軸５４は、ケース１０の外部で第１方向に延びる長尺状の連結ロッド５５によって連結されている。そして、これらの上流側フィン５０，５１、フィン軸５２、アーム５３、連結軸５４、連結ロッド５５等により、全ての上流側フィン５１を上流側フィン５０に同期した状態で傾動させる平行リンク機構が構成されている。
【００５５】
上流側フィン５０の下流側部分には透孔部５６が設けられている。上流側フィン５０において、透孔部５６よりも下流側部分は、第２方向に延びる伝達軸部５７となっている。図９及び図１１に示すように、伝達軸部５７は、操作ノブ４０のフォーク部４１によって挟み込まれている。そして、操作ノブ４０がメインフィン３１に沿って第１方向へスライドさせられると、フォーク部４１及び伝達軸部５７を通じて上流側フィン５０に同方向の力が加えられ、上流側フィン５０が上下の両フィン軸５２を支点として第１方向へ傾動させられる。
【００５６】
なお、透孔部５６は、上流側フィン５０の第１方向への傾動に伴うフォーク部４１との干渉を回避するためのものである。この透孔部５６は、上流側フィン５１には設けられていない。
【００５７】
＜連動機構６０＞
連動機構６０は、メインフィン３１の傾動に応じ、上下の各補助フィン３３，３５を次の３種類の形態で傾動させるための機構である。
【００５８】
（ｉ）図１０〜図１２に示すように、メインフィン３１が第２壁部２２に対し略平行にされた場合には、各補助フィン３３，３５の上流端及び下流端を同第２壁部２２に接近させた状態で、同補助フィン３３，３５を第２壁部２２に対し略平行にさせる。
【００５９】
（ii）図１３〜図１５に示すように、メインフィン３１が下流側ほど高くなるように傾斜させられた場合には、上側の補助フィン３３の下流端を上側の第２壁部２２に接近させた状態で、同補助フィン３３を下方へ傾動させる。下側の補助フィン３５の上流端を下側の第２壁部２２に接近させた状態で、同補助フィン３５を上方へ傾動させる。
【００６０】
（iii ）図１６及び図１８に示すように、メインフィン３１が下流側ほど低くなるように傾斜させられた場合には、上側の補助フィン３３の上流端を上側の第２壁部２２に接近させた状態で、同補助フィン３３を下方へ傾動させる。下側の補助フィン３５の下流端を下側の第２壁部２２に接近させた状態で、同補助フィン３５を上方へ傾動させる。
【００６１】
このように、連動機構６０は、メインフィン３１の傾動に応じ、両補助フィン３３，３５の上流端及び下流端の少なくとも一方を第２壁部２２に接近させた状態で、同補助フィン３３，３５をメインフィン３１に対し略平行となるように傾動させる。
【００６２】
図５に示すように、メインフィン３１の各フィン軸３２は、第１壁部２１から、第１方向についての外方へ突出している。各フィン軸３２の外端部には、そのフィン軸３２に直交する方向、第１実施形態では、メインフィン３１の下流端から上流端へ向かう方向へ延びる長尺状のアーム６１が形成されている。各アーム６１の上流端からは、伝達軸６２が第１方向についての外方へ突出している。
【００６３】
図５、図１０及び図１１に示すように、上側の補助フィン３３の各フィン軸３４は、上側の軸受部２６を通り、第１壁部２１の外側へ突出している。各フィン軸３４の外端部には、そのフィン軸３４に直交する方向、第１実施形態では、補助フィン３３の厚み方向のうち、上側の第２壁部２２から遠ざかる側である略下側へ延びる長尺状のアーム６３が形成されている。アーム６３の長さ方向に互いに離間した２箇所からは、それぞれ伝達軸６４が第１方向についての外方へ突出している。両伝達軸６４の一方は、フィン軸３４と同一軸線上に位置している。
【００６４】
下側の補助フィン３５の各フィン軸３６は、下側の軸受部２７を通り、第１壁部２１の外側へ突出している。各フィン軸３６の外端部には、そのフィン軸３６に直交する方向、第１実施形態では、補助フィン３５の厚み方向のうち下側の第２壁部２２から遠ざかる側である略上側へ延びる長尺状のアーム６５が形成されている。アーム６５の長さ方向に互いに離間した２箇所からは、それぞれ伝達軸６６が第１方向についての外方へ突出している。両伝達軸６６の一方は、フィン軸３６と同一軸線上に位置している。
【００６５】
各第１壁部２１の外側には、それぞれ板状をなすカム部材６７が配置されている。各カム部材６７は、支軸２８により各第１壁部２１に対し回動可能に支持されている。すなわち、各カム部材６７の略中心部には、厚み方向に軸孔７１が貫通されており、この軸孔７１において各カム部材６７が支軸２８上に回動可能に嵌合されている。各カム部材６７は、両第２壁部２２によって挟まれた領域の側方で回動が行なわれる大きさを有している。各カム部材６７において、支軸２８の下流側には、伝達被係合部として、１つの長孔６８が貫通した状態で形成されている。長孔６８は、第２方向については、カム部材６７の中央部に位置している。長孔６８は、メインフィン３１が第２壁部２２に対し略平行となったときに、同第２壁部２２に対し略平行となる。
【００６６】
各カム部材６７において、支軸２８及び長孔６８よりも上側の領域には、被係合部としてそれぞれ屈曲した一対のカム孔６９が貫通した状態で形成されている。同様に、各カム部材６７において、支軸２８及び長孔６８よりも下側の領域には、被係合部として、それぞれ屈曲した一対のカム孔７０が貫通した状態で形成されている。
【００６７】
そして、メインフィン３１の伝達軸６２が長孔６８内に移動可能に係合されている。伝達軸６２は、メインフィン３１が第２壁部２２に対し略平行となったときに、同じく第２壁部２２に対し略平行となった長孔６８の上流端に位置する。また、伝達軸６２は、メインフィン３１が第２壁部２２に対し傾斜したときに、長孔６８の下流端又はその近傍に位置する（図１３（ａ）、図１６（ａ）参照）。この長孔６８と、上述したアーム６１及び伝達軸６２とは、メインフィン３１の傾動をカム部材６７に伝達して回動させる伝達部Ｂを構成している。
【００６８】
さらに、上側の補助フィン３３の一方の伝達軸６４が一方のカム孔６９内に移動可能に係合されるとともに、他方の伝達軸６４が他方のカム孔６９内に移動可能に係合されている。また、下側の補助フィン３５の一方の伝達軸６６が一方のカム孔７０内に移動可能に係合されるとともに、他方の伝達軸６６が他方のカム孔７０内に移動可能に係合されている。
【００６９】
伝達軸６４，６６のカム孔６９，７０に対する係合は、次の条件を満たすように行なわれている。
（ａ）図１０及び図１１に示すように、メインフィン３１が上下の両第２壁部２２に対し略平行になった状態では、各伝達軸６４は、各カム孔６９の中央部に位置し、各伝達軸６６は、各カム孔７０の中央部に位置する。両伝達軸６４，６６が上記の箇所に位置することで、各補助フィン３３，３５は第２壁部２２に対し略平行となる。
【００７０】
（ｂ）図１３（ａ），（ｂ）及び図１４に示すように、メインフィン３１が下流側ほど高くなるように傾斜した状態では、上側の各伝達軸６４は各カム孔６９の上流端に位置し、下側の各伝達軸６６は各カム孔７０の下流端にする。各伝達軸６４，６６が上記の箇所に位置することで、各補助フィン３３，３５は、下流側ほど高くなるように傾斜した状態、すなわちメインフィン３１に対し略平行となる。
【００７１】
（ｃ）図１６（ａ），（ｂ）及び図１７に示すように、メインフィン３１が下流側ほど低くなるように傾斜した状態では、上側の各伝達軸６４は各カム孔６９の下流端に位置し、下側の各伝達軸６６は各カム孔７０の上流端にする。各伝達軸６４，６６が上記の箇所に位置することで、各補助フィン３３，３５は、下流側ほど低くなるように傾斜した状態、すなわちメインフィン３１に対し略平行となる。
【００７２】
＜シャットダンパ７５＞
図６及び図９に示すように、シャットダンパ７５は、ケース１０内の上流側フィン群よりも上流側で通風路２０を開閉するためのものである。シャットダンパ７５は、通風路２０に直交する面に対応して、第２方向よりも第１方向に細長い長方形の板状をなす本体部７６と、本体部７６の周囲に装着されたシール部７７とを備えている。
【００７３】
本体部７６の第１方向についての両端面からは、軸７８が同方向についての外方へ突出している。シャットダンパ７５は、両軸７８において両軸受部３０により第１壁部２１に支持されており、開位置と閉位置との間で第２方向への傾動可能である。シャットダンパ７５は、開位置では、図１１及び図１２において実線で示すように、上下の両第２壁部２２間の中央部で、同第２壁部２２に対し略平行となって、通風路２０を大きく開放する。シャットダンパ７５は、閉位置では、同図１１及び図１２において二点鎖線で示すように、上下の両第２壁部２２に対し傾斜し、シール部７７において第１壁部２１及び第２壁部２２の各内壁面に接触し、通風路２０を閉鎖する。
【００７４】
＜ダンパ駆動機構８０＞
図３及び図６に示すように、ダンパ駆動機構８０は、シャットダンパ７５を傾動させて通風路２０を開閉するための機構であり、操作ダイヤル８１及び回動伝達部８２を備えている。操作ダイヤル８１は、ケース１０に対し、第２方向への回動可能に支持されている。操作ダイヤル８１の一部は、ベゼル１３の窓部１３ａを通じて下流側へ露出している。
【００７５】
回動伝達部８２は、操作ダイヤル８１の回動をシャットダンパ７５に伝達するためのものであり、一方の第１壁部２１の外側であって、操作ダイヤル８１とシャットダンパ７５の一方の軸７８との間に設けられている。
【００７６】
回動伝達部８２は、リンク機構、ギヤ機構等によって構成されている。第１実施形態では、操作ダイヤル８１上に、第１方向についての外方へ突出するピン８３が設けられている。また、シャットダンパ７５の一方の軸７８上にはレバー８４が一体回動可能に設けられている。レバー８４の先端部には、第１方向についての外方へ突出するピン８５が設けられている。そして、両ピン８３，８５がリンク部材８６によって連結されている。
【００７７】
前記のようにして第１実施形態の空調用レジスタが構成されている。次に、この空調用レジスタの作用について説明する。
図１１及び図１２の二点鎖線は、シャットダンパ７５が閉位置にあるときの状態を示している。この状態では、通風路２０がシャットダンパ７５によって閉塞される。通風路２０での空調用空気Ａの流通が遮断され、吹出口１４からの空調用空気Ａの吹き出しが停止される。
【００７８】
これに対し、図１１及び図１２の実線は、シャットダンパ７５が開位置にあるときの状態を示している。この状態では、通風路２０が全開となり、空調用空気Ａがシャットダンパ７５の上側と下側とに分かれて流れる。シャットダンパ７５を通過した空調用空気Ａは、上流側フィン群及び下流側フィン群に沿って流れた後、吹出口１４から吹き出す。
【００７９】
シャットダンパ７５の閉位置から開位置への切替え、及び開位置から閉位置への切替えは、操作ダイヤル８１の回動操作を通じて行なわれる。操作ダイヤル８１が乗員によって回動操作されると、その回動は、ダンパ駆動機構８０を介してシャットダンパ７５に伝達され、同シャットダンパ７５が傾動させられる。
【００８０】
なお、以下の説明は、シャットダンパ７５が開位置にあることを前提としている。
図１１及び図１２は、メインフィン３１が上下の両第２壁部２２に対し略平行にされた空調用レジスタを示している。
【００８１】
この空調用レジスタでは、図２及び図１０に示すように、伝達軸６２が、第２壁部２２に対し略平行となった長孔６８の上流端に位置する。上側の補助フィン３３の各伝達軸６４は、各カム孔６９の中央部に位置する。アーム６３が略鉛直状態となり、上側の補助フィン３３が、図１１及び図１２に示すように、上下の両第２壁部２２に対し略平行になって上側の収納凹部２４内に収納される。また、図２及び図１０に示すように、下側の補助フィン３５の各伝達軸６６は、各カム孔７０の中央部に位置する。アーム６５が略鉛直状態となり、図１１及び図１２に示すように、下側の補助フィン３５が上下の両第２壁部２２に対し略平行になって下側の収納凹部２４内に収納される。
【００８２】
従って、二点鎖線の矢印で示すように、シャットダンパ７５を通過した空調用空気Ａは、各補助フィン３３，３５から抵抗を殆ど受けることなく、メインフィン３１、補助フィン３３，３５及び第２壁部２２に沿って、少ない圧力損失で真っ直ぐ流れて吹出口１４から吹き出す。
【００８３】
また、このとき、カム部材６７は、両第２壁部２２によって挟まれた領域の側方に位置しており、ケース１０から第２方向についての外方へはみ出さない。
さらに、上側のフィン軸３４が軸受部２６の上部に位置し、下側のフィン軸３６が軸受部２７の下部に位置する。軸受部２６の下部はフィン軸３４のない状態となり、軸受部２７の上部はフィン軸３６のない状態となる。そのため、ケース１０の内側から第１壁部２１を見た場合、軸受部２６のうちフィン軸３４のない下部と、軸受部２７のうちフィン軸３６のない上部とが、貫通した孔部として見える。このように、ケース１０の内側から見える孔部が軸受部２６，２７の２つですむのは、補助フィン３３，３５毎の一対の伝達軸６４，６６が各第１壁部２１の外側に配置されることから、これらの伝達軸６４，６６を挿通させるための孔部が第１壁部２１に不要になるからである。
【００８４】
また、第１実施形態では、第１壁部２１に、メインフィン３１の伝達軸６２を挿通させるための孔部が貫通されていないため、特許文献１とは異なり、この孔部が見えることがない。これは、第１実施形態では、アーム６１及び伝達軸６２が第１壁部２１の外側に配置されていて、第１壁部２１に挿通されないからである。メインフィン３１は各フィン軸３２においてのみ各第１壁部２１に挿通されている。そのため、各第１壁部２１を貫通する孔部が少なくなり、ケース１０の内側から第１壁部２１を見た場合に、見える孔部の数がより一層少なくなる。
【００８５】
上記の状態から、操作ノブ４０に対し上方へ向かう力が加えられると、図１３（ａ），（ｂ）、図１４及び図１５に示すように、メインフィン３１がフィン軸３２を支点として時計回り方向へ傾動させられる。この傾動に伴いアーム６１が、フィン軸３２を支点として同方向へ傾動する。伝達軸６２がフィン軸３２の周りを時計回り方向へ旋回する。伝達軸６２から長孔６８の内壁面を通じカム部材６７に対し下方へ向かう力が加わり、同カム部材６７が支軸２８を支点として反時計回り方向へ回動する。
【００８６】
カム部材６７の上記回動に伴い、両カム孔６９及び両カム孔７０も支軸２８の周りを同方向へ旋回し、両伝達軸６４及び両伝達軸６６の位置が変化する。両伝達軸６４の位置の変化により、アーム６３が略鉛直状態から姿勢を変える。上側の補助フィン３３が、下流端を上側の第２壁部２２に接近させた状態で、軸受部２６内を下降するフィン軸３４を支点として時計回り方向へ傾動し、下流側ほど高い傾斜状態となる。メインフィン３１が最大角度傾動させられると、各伝達軸６４は各カム孔６９の上流端に達する。
【００８７】
また、両伝達軸６６の位置の変化により、アーム６５が略鉛直状態から姿勢を変える。下側の補助フィン３５が、上流端を下側の第２壁部２２に接近させた状態で、軸受部２７内を上昇するフィン軸３６を支点として時計回り方向へ傾動し、下流側ほど高い傾斜状態となる。メインフィン３１が最大角度傾動させられると、各伝達軸６６は各カム孔７０の下流端に達する。
【００８８】
従って、通風路２０を流れる空調用空気Ａは、メインフィン３１及び上下の両補助フィン３３，３５に沿って流れることで、斜め上方へ向きを変えられて吹出口１４から吹き出す。
【００８９】
このときには、カム部材６７は両第２壁部２２によって挟まれた領域の側方に位置しており、ケース１０から第２方向についての外方へはみ出さない。
さらに、上側のフィン軸３４が軸受部２６の下部に位置する。このフィン軸３４は、傾斜状態の補助フィン３３の下側に位置する。そのため、ケース１０の内側から第１壁部２１を見た場合、軸受部２６の下部の輪郭が見えるものの、貫通した孔部のようには見えない。また、このときには、下側のフィン軸３６が軸受部２７の上部に位置する。このフィン軸３６は、傾斜状態の補助フィン３５の上側に位置する。そのため、ケース１０の内側から第１壁部２１を見た場合、軸受部２７の上部は補助フィン３５に隠れてほとんど見えない。
【００９０】
上記の状態から、操作ノブ４０に対し下方へ向かう力が加えられると、各部が上記とは逆の動作を行ない、メインフィン３１及び両補助フィン３３，３５が第２壁部２２に対し略平行な状態に戻される。
【００９１】
これに対し、第２壁部２２に対し略平行となっているメインフィン３１上の操作ノブ４０に対し、下方へ向かう力が加えられると、図１６（ａ），（ｂ）、図１７及び図１８に示すように、メインフィン３１がフィン軸３２を支点として反時計回り方向へ傾動させられる。この傾動に伴いアーム６１が、フィン軸３２を支点として同方向へ傾動する。伝達軸６２がフィン軸３２の周りを反時計回り方向へ旋回する。伝達軸６２から長孔６８の内壁面を通じてカム部材６７に対し上方へ向かう力が加わり、同カム部材６７が支軸２８を支点として時計回り方向へ回動する。
【００９２】
カム部材６７の上記回動に伴い、両カム孔６９及び両カム孔７０も支軸２８の周りを同方向へ旋回し、両伝達軸６４及び両伝達軸６６の位置が変化する。両伝達軸６４の位置の変化により、アーム６３が略鉛直状態から姿勢を変える。上側の補助フィン３３が、上流端を上側の第２壁部２２に接近させた状態で、軸受部２６内を下降するフィン軸３４を支点として反時計回り方向へ傾動し、下流側ほど低い傾斜状態となる。メインフィン３１が最大角度傾動させられると、各伝達軸６４は各カム孔６９の下流端に達する。
【００９３】
また、両伝達軸６６の位置の変化により、アーム６５が略鉛直状態から姿勢を変える。下側の補助フィン３５が、下流端を下側の第２壁部２２に接近させた状態で、軸受部２７内を上昇するフィン軸３６を支点として反時計回り方向へ傾動し、下流側ほど低い傾斜状態となる。メインフィン３１が最大角度傾動させられると、各伝達軸６６は各カム孔７０の上流端に達する。
【００９４】
従って、通風路２０を流れる空調用空気Ａは、メインフィン３１及び上下の両補助フィン３３，３５に沿って流れることで、斜め下方へ向きを変えられて吹出口１４から吹き出す。
【００９５】
このときには、カム部材６７は両第２壁部２２によって挟まれた領域の側方に位置しており、ケース１０から第２方向についての外方へはみ出さない。
さらに、上側のフィン軸３４が軸受部２６の下部に位置する。このフィン軸３４は、傾斜状態の補助フィン３３の下側に位置する。そのため、ケース１０の内側から第１壁部２１を見た場合、軸受部２６の下部は補助フィン３３に隠れてほとんど見えない。また、このときには、下側のフィン軸３６が軸受部２７の上部に位置する。このフィン軸３６は、傾斜状態の補助フィン３５の上側に位置する。そのため、ケース１０の内側から第１壁部２１を見た場合、軸受部２７の上部の輪郭が見えるものの、貫通した孔部のようには見えない。
【００９６】
上記の状態から、操作ノブ４０に対し上方へ向かう力が加えられると、各部が上記とは逆の動作を行ない、メインフィン３１及び両補助フィン３３，３５が第２壁部２２に対し略平行な状態に戻される。
【００９７】
なお、図９において、操作ノブ４０に対し、第１方向の力が加えられると、同操作ノブ４０がメインフィン３１上を同方向へスライドする。また、上記操作ノブ４０に加えられた力は、フォーク部４１を介して、中央の上流側フィン５０の伝達軸部５７に伝わる。上流側フィン５０はフィン軸５２を支点として、第１方向のうち、操作ノブ４０が操作された側へ傾動させられる。この際、伝達軸部５７は、図９において二点鎖線で示すようにフィン軸５２の周りを旋回する。このフィン軸５２を支点とする上流側フィン５０の動きは、図１１に示すアーム５３、連結軸５４及び連結ロッド５５を介して他の上流側フィン５１に伝達される。この伝達により、全ての上流側フィン５１が上流側フィン５０に同期して、操作ノブ４０の操作された側へ傾動する。空調用空気Ａは、上記のように傾動された上流側フィン５０，５１に沿って流れることで、向きを変えられて吹出口１４から吹き出す。
【００９８】
以上詳述した第１実施形態によれば、次の効果が得られる。
（１）第１壁部２１毎に設けられた上下一対の軸受部２６，２７に補助フィン３３，３５のフィン軸３４，３６を挿通し、フィン軸３４，３６毎に連結された一対の伝達軸６４，６６を、各第１壁部２１の外側に配置する。各第１壁部２１の外側にカム部材６７を回動可能に配置し、そのカム部材６７に被係合部として形成されたカム孔６９，７０に対し、伝達軸６４，６６を係合する。第１壁部２１毎に設けられた軸受部２５によりメインフィン３１のフィン軸３２を傾動可能に支持する。さらに、メインフィン３１の傾動をカム部材６７に伝達して同カム部材６７を回動させる伝達部Ｂを設けている（図５）。
【００９９】
このように、カム部材６７として、メインフィン３１の傾動に応じて回動することで、各補助フィン３３，３５を傾動させるタイプを採用した。そのため、カム部材６７がケース１０から第２方向についての外方へはみ出すのを抑制し、カム部材６７がケース１０の周辺の部品と干渉するのを抑制することができる。
【０１００】
また、フィン軸３４の外端部に連結したアーム６３に両伝達軸６４を設けるとともに、フィン軸３６の外端部に連結したアーム６５に両伝達軸６６を設けることで、両伝達軸６４及び両伝達軸６６を第１壁部２１の外側に配置した。そのため、各第１壁部２１に貫通される孔部の数を少なくし、ケース１０の内側から第１壁部２１を見た場合に、多くの孔部が見えないようにし、ケース１０の第１壁部２１の見栄えの向上を図ることができる。
【０１０１】
（２）メインフィン３１のフィン軸３２を、第１壁部２１を貫通する孔部からなる軸受部２５により傾動可能に支持する。第１壁部２１の外側でフィン軸３２から同フィン軸３２に直交する方向へ延びるアーム６１と、同アーム６１のフィン軸３２から偏倚した箇所に設けられた伝達軸６２と、カム部材６７に形成されて伝達軸６２が係合される長孔６８（伝達被係合部）とにより、伝達部Ｂを構成している（図２、図５）。
【０１０２】
そのため、メインフィン３１の傾動を、アーム６１、伝達軸６２及び長孔６８の内壁面を通じて、カム部材６７に伝達して同カム部材６７を回動させることができる。
また、伝達軸６２を挿通させるための孔部を各第１壁部２１に貫通しなくてすむ。その結果、各第１壁部２１を貫通する孔部を少なくし、ケース１０の内側から各第１壁部２１を見た場合に、見える孔部の数をより一層少なくし、見栄えのさらなる向上を図ることができる。
【０１０３】
（第２実施形態）
次に、空調用レジスタの第２実施形態について、第１実施形態との相違点を中心に、図１９〜図２９を参照して説明する。
【０１０４】
＜軸受部２５＞
図１９に示すように、メインフィン３１を両第１壁部２１に支持する軸受部２５は、下流側リテーナ１２とベゼル１３との連結部分であって、第１実施形態の軸受部２５よりも僅かに上流側となる箇所に設けられている。この軸受部２５の位置変更は、メインフィン３１におけるフィン軸３２の位置が変更されたことに伴うものである。
【０１０５】
＜フィン軸３２＞
図２０に示すように、メインフィン３１の第１方向（車幅方向）についての両方の端面からは、フィン軸３２がそれぞれ同方向についての外方に向けて突出している。各フィン軸３２は、通風方向については、メインフィン３１の中央部に位置している。両フィン軸３２は、軸受部２５により両第１壁部２１に対し、第２方向（上下方向）への傾動可能に支持されている。
【０１０６】
＜伝達部Ｂ＞
メインフィン３１の各フィン軸３２は、第１壁部２１から、第１方向についての外方へ突出している。各フィン軸３２の外端部には、駆動ギヤ９１が一体回動可能に設けられている。駆動ギヤ９１は、第１実施形態で用いられたアーム６１及び伝達軸６２に代わるものである。
【０１０７】
各カム部材６７の内側面（第１壁部２１側の面）であって、軸孔７１の周りには被動ギヤ９２が一体回動可能に設けられており、この被動ギヤ９２が駆動ギヤ９１に噛み合わされている。
【０１０８】
そして、これらの駆動ギヤ９１及び被動ギヤ９２によって、メインフィン３１の傾動をカム部材６７に伝達する伝達部Ｂが構成されている。なお、第１実施形態で用いられた長孔６８はカム部材６７から省略されている。
【０１０９】
＜軸受部２６，２７＞
上側の軸受部２６は、第１実施形態よりも僅かに上方に形成されている。軸受部２６の上部は、上側の第２壁部２２の第１壁部２１との境界部分に形成されている。
【０１１０】
また、下側の軸受部２７は、第１実施形態よりも僅かに下方に形成されている。軸受部２７の下部は、下側の第２壁部２２の第１壁部２１との境界部分に形成されている。
＜フィン軸３４，３６＞
上側の補助フィン３３の各フィン軸３４は、同補助フィン３３の厚み方向についての中央部よりも上側（最寄りの第２壁部２２側）へ偏倚した箇所に設けられている。下側の補助フィン３５の各フィン軸３６は、同補助フィン３５の厚み方向についての中央部よりも下側（最寄りの第２壁部２２側）へ偏倚した箇所に設けられている。
【０１１１】
＜アーム６３，６５、伝達軸６４，６６＞
各アーム６３，６５は、それぞれ側面Ｌ字状をなすように屈曲している。上側の各アーム６３は、その屈曲部分において、上側の補助フィン３３における各フィン軸３４の外端部に連結されている。下側の各アーム６５は、その屈曲部分において、下側の補助フィン３５における各フィン軸３６の外端部に連結されている。一対の伝達軸６４は、上側の各アーム６３の端部に設けられている。一対の伝達軸６６は、下側の各アーム６５の端部に設けられている。
【０１１２】
＜平行リンク機構＞
図２２に示すように、上流側フィン５０，５１の各々の上端面において、フィン軸５２から偏倚した箇所には連結軸５４が上方へ突出している。上流側フィン５０，５１毎の連結軸５４は、ケース１０の内部で第１方向に延びる長尺状の連結ロッド５５によって連結されている。なお、第１実施形態で用いられたアーム５３は、上流側フィン５０，５１から省略されている。そして、上流側フィン５０，５１、フィン軸５２、連結軸５４、連結ロッド５５等により、全ての上流側フィン５１を上流側フィン５０に同期した状態で傾動させる平行リンク機構が構成されている。
【０１１３】
上記以外の構成は第１実施形態と同様である。そのため、第１実施形態で説明したものと同様の要素には同一の符号を付し、重複する説明を省略する。
次に、第２実施形態の空調用レジスタの作用について説明する。
【０１１４】
図２１〜図２３は、メインフィン３１が上下の両第２壁部２２に対し略平行にされた空調用レジスタを示している。
上側の補助フィン３３の各伝達軸６４が各カム孔６９の中央部に位置する。上側の補助フィン３３が、第２壁部２２に対し略平行になって上側の収納凹部２４内に収納される。また、下側の補助フィン３５の各伝達軸６６が、各カム孔７０の中央部に位置する。下側の補助フィン３５が、第２壁部２２に対し略平行になって下側の収納凹部２４内に収納される。
【０１１５】
従って、上流側フィン５０，５１を通過した空調用空気Ａは、各補助フィン３３，３５から抵抗を殆ど受けることなく、メインフィン３１、補助フィン３３，３５及び第２壁部２２に沿って、少ない圧力損失で真っ直ぐ流れて吹出口１４から吹き出す。
【０１１６】
また、このときには、カム部材６７は、両第２壁部２２によって挟まれた領域の側方に位置しており、ケース１０から第２方向についての外方へはみ出さない。
さらに、上側のフィン軸３４が軸受部２６の上部に位置する。軸受部２６の上部は、上側の第２壁部２２の第１壁部２１との境界部分に位置し、補助フィン３３よりも上側に位置する。そのため、ケース１０の内側から上側の角部を見た場合、軸受部２６の上部は補助フィン３３に隠れて見えない。
【０１１７】
また、下側のフィン軸３６が軸受部２７の下部に位置する。軸受部２７の下部は、下側の第２壁部２２の第１壁部２１との境界部分に位置し、補助フィン３５よりも下側に位置する。そのため、ケース１０の内側から下側の角部を見た場合、軸受部２７の下部は補助フィン３５に隠れて見えない。
【０１１８】
また、軸受部２６の下部はフィン軸３４のない状態となり、軸受部２７の上部はフィン軸３６のない状態となる。しかし、軸受部２６の下部の内側方には上側の補助フィン３３が位置し、軸受部２７の上部の内側方には下側の補助フィン３５が位置する。そのため、ケース１０の内側から第１壁部２１を見た場合、軸受部２６についても軸受部２７についても、輪郭が見えることがあっても、第１壁部２１を貫通した孔部として見えることはない。
【０１１９】
なお、上記のように、ケース１０の内側から見える孔部が軸受部２６，２７の２つですむのは、補助フィン３３，３５毎の一対の伝達軸６４，６６が第１壁部２１の外側に配置されていることから、これらの伝達軸６４，６６を挿通させるための孔部が第１壁部２１に不要になるからである。
【０１２０】
また、第２実施形態では、メインフィン３１に伝達軸６２が設けられていないことから、第１壁部２１に同伝達軸６２を挿通させるための孔部が不要である。そのため、特許文献１とは異なり、この孔部が見えることがない。メインフィン３１はフィン軸３２においてのみ第１壁部２１に挿通されている。そのため、第１壁部２１を貫通する孔部が少なくなり、ケース１０の内側から第１壁部２１を見た場合に、見える孔部の数がより一層少なくなる。
【０１２１】
上記の状態から、操作ノブ４０に対し上方へ向かう力が加えられると、図２４〜図２６に示すように、メインフィン３１がフィン軸３２を支点として時計回り方向へ傾動させられる。この傾動に伴い駆動ギヤ９１がフィン軸３２の周りを同方向へ回動させられる。これに伴い、駆動ギヤ９１に噛み合わされた被動ギヤ９２が、支軸２８を支点として、駆動ギヤ９１とは逆方向である反時計回り方向へ回動させられる。被動ギヤ９２と一体となったカム部材６７も支軸２８を支点として反時計回り方向へ回動する。
【０１２２】
カム部材６７の上記回動に伴い、両カム孔６９及び両カム孔７０も支軸２８の周りを同方向へ旋回し、両伝達軸６４及び両伝達軸６６の位置が変化する。両伝達軸６４の位置の変化により、アーム６３の姿勢が変化する。上側の補助フィン３３が、下流端を上側の第２壁部２２に接近させた状態で、軸受部２６内を下降するフィン軸３４を支点として時計回り方向へ傾動し、下流側ほど高い傾斜状態となる。メインフィン３１が最大角度傾動させられると、各伝達軸６４は各カム孔６９の上流端に達する。
【０１２３】
また、両伝達軸６６の位置の変化により、アーム６５の姿勢が変化する。下側の補助フィン３５が、上流端を下側の第２壁部２２に接近させた状態で、軸受部２７内を上昇するフィン軸３６を支点として時計回り方向へ傾動し、下流側ほど高い傾斜状態となる。メインフィン３１が最大角度傾動させられると、各伝達軸６６は各カム孔７０の下流端に達する。
【０１２４】
従って、通風路２０を流れる空調用空気Ａは、メインフィン３１及び両補助フィン３３，３５に沿って流れることで、斜め上方へ向きを変えられて吹出口１４から吹き出す。
このときには、カム部材６７は両第２壁部２２によって挟まれた領域の側方に位置しており、ケース１０から第２方向についての外方へはみ出さない。
【０１２５】
さらに、上側のフィン軸３４が軸受部２６の下部に位置する。このフィン軸３４は、傾斜状態の補助フィン３３の上側に位置する。しかも、軸受部２６が第１実施形態よりも上方に形成されている。そのため、ケース１０の内側から第１壁部２１の上部を見た場合、軸受部２６が補助フィン３３に隠れて見えず、第１壁部２１を貫通する孔部が見えない。また、このときには、下側のフィン軸３６が軸受部２７の上部に位置する。このフィン軸３６は、傾斜状態の補助フィン３５の下側に位置する。そのため、ケース１０の内側から第１壁部２１の下部を見た場合、軸受部２７が見える。しかし、軸受部２７が第１実施形態よりも下方に形成されているため、軸受部２７のうち実際に見える部分は少ない。
【０１２６】
上記の状態から、操作ノブ４０に対し下方へ向かう力が加えられると、各部が上記とは逆の動作を行ない、メインフィン３１及び両補助フィン３３，３５が第２壁部２２に対し略平行な状態に戻される。
【０１２７】
これに対し、第２壁部２２に対し略平行となっているメインフィン３１上の操作ノブ４０に対し、下方へ向かう力が加えられると、図２７〜図２９に示すように、メインフィン３１がフィン軸３２を支点として反時計回り方向へ傾動させられる。この傾動に伴い駆動ギヤ９１がフィン軸３２の周りを同方向へ回動させられる。これに伴い、駆動ギヤ９１に噛み合わされた被動ギヤ９２が、支軸２８を支点として、駆動ギヤ９１とは逆方向である時計回り方向へ回動させられる。被動ギヤ９２と一体となったカム部材６７も支軸２８を支点として時計回り方向へ回動する。
【０１２８】
カム部材６７の上記回動に伴い、両カム孔６９及び両カム孔７０も支軸２８の周りを同方向へ旋回し、両伝達軸６４及び両伝達軸６６の位置が変化する。
両伝達軸６４の位置の変化により、アーム６３の姿勢が変化する。上側の補助フィン３３が、上流端を上側の第２壁部２２に接近させた状態で、軸受部２６内を下降するフィン軸３４を支点として反時計回り方向へ傾動し、下流側ほど低い傾斜状態となる。メインフィン３１が最大角度傾動させられると、各伝達軸６４は各カム孔６９の下流端に達する。
【０１２９】
また、両伝達軸６６の位置の変化により、アーム６５の姿勢が変化する。下側の補助フィン３５が、下流端を下側の第２壁部２２に接近させた状態で、軸受部２７内を上昇するフィン軸３６を支点として反時計回り方向へ傾動し、下流側ほど低い傾斜状態となる。メインフィン３１が最大角度傾動させられると、各伝達軸６６は各カム孔７０の上流端に達する。
【０１３０】
従って、通風路２０を流れる空調用空気Ａは、メインフィン３１及び両補助フィン３３，３５に沿って流れることで、斜め下方へ向きを変えられて吹出口１４から吹き出す。
このときには、カム部材６７は、両第２壁部２２によって挟まれた領域の側方に位置しており、ケース１０から第２方向についての外方へはみ出さない。
【０１３１】
さらに、上側のフィン軸３４が軸受部２６の下部に位置する。このフィン軸３４は、傾斜状態の補助フィン３３の上側に位置する。そのため、ケース１０の内側から第１壁部２１の上部を見た場合、軸受部２６が見える。しかし、軸受部２６が第１実施形態よりも上方に形成されているため、軸受部２６のうち実際に見える部分は少ない。また、このときには、下側のフィン軸３６が軸受部２７の上部に位置する。このフィン軸３６は、傾斜状態の補助フィン３５の下側に位置する。そのため、ケース１０の内側から第１壁部２１の下部を見た場合、フィン軸３６も軸受部２７も補助フィン３５に隠れて見えず、第１壁部２１を貫通する孔部が見えない。
【０１３２】
上記の状態から、操作ノブ４０に対し上方へ向かう力が加えられると、各部が上記とは逆の動作を行ない、メインフィン３１及び補助フィン３３，３５が第２壁部２２に対し略平行な状態に戻される。
【０１３３】
従って、第２実施形態によると、上述した（１）と同様の効果が得られるほか、次の効果も得られる。
（３）各第１壁部２１の外側でメインフィン３１のフィン軸３２に一体回動可能に設けられた駆動ギヤ９１と、駆動ギヤ９１に噛み合わされた状態でカム部材６７に設けられた被動ギヤ９２とによって伝達部Ｂを構成している（図２０）。
【０１３４】
そのため、メインフィン３１の傾動を、駆動ギヤ９１及び被動ギヤ９２を介してカム部材６７にスムーズに伝達して同カム部材６７を回動させることができる。フィン軸３２を支点としてメインフィン３１を傾動させる際の荷重の変動が少なくてすむ。
【０１３５】
また、伝達軸６２を挿通させるための孔部を各第１壁部２１に貫通しなくてすむ。その結果、各第１壁部２１を貫通する孔部を少なくし、ケース１０の内側から各第１壁部２１を見た場合に、見える孔部の数をより一層少なくし、見栄えのさらなる向上を図ることができる。
【０１３６】
（４）各補助フィン３３，３５のフィン軸３４，３６を、同補助フィン３３，３５の厚み方向についての中央部よりも最寄りの第２壁部２２側へ偏倚した箇所に設けている（図２０）。
【０１３７】
そのため、ケース１０の内側から第１壁部２１を見た場合、軸受部２６，２７のうち補助フィン３３，３５の奥側に位置する部分を多くし、軸受部２６，２７のうち見えない部分を多くすることができ、見栄えのより一層の向上を図ることができる。
【０１３８】
（５）軸受部２６，２７の一部を、第２壁部２２の第１壁部２１との境界部分に形成している（図２０）。
そのため、軸受部２６，２７を第２壁部２２側へ最も偏倚した箇所に位置させることができる。従って、ケース１０の内側から第１壁部２１を見た場合、軸受部２６，２７のうち補助フィン３３，３５の奥側に位置する部分を最も多くすることができ、軸受部２６，２７のうち見えない部分を最も多くし、見栄えを効果的に向上させることができる。
【０１３９】
なお、上記実施形態は、これを以下のように変更した変形例として実施することもできる。
＜軸受部２６，２７について＞
・軸受部２６，２７の形状及び大きさは、少なくとも一部が第１壁部２１の第２壁部２２に接近した箇所に形成されることを条件に変更可能である。
【０１４０】
・第１実施形態において、軸受部２６，２７の一部が、第２壁部２２の第１壁部２１との境界部分に形成されてもよい。
また、第２実施形態において、軸受部２６，２７の全体が第１壁部２１に形成されてもよい。
【０１４１】
＜補助フィン３３，３５について＞
・補助フィン３３，３５は、通常、メインフィン３１に対し略平行に傾動するように構成されているが、補助フィン３３，３５の少なくとも一方を、下流側ほどメインフィン３１に接近するように、平行よりも若干角度、例えば５°程度大きく傾斜させることにより、第２方向への空調用空気Ａの指向性を向上させることもできる。
【０１４２】
＜フィン軸３４，３６について＞
・第１実施形態において、各補助フィン３３，３５のフィン軸３４，３６が同補助フィン３３，３５の厚み方向についての中央部よりも最寄りの第２壁部２２側へ偏倚した箇所に設けられてもよい。
【０１４３】
また、第２実施形態において、各補助フィン３３，３５のフィン軸３４，３６が同補助フィン３３，３５の厚み方向についての中央部、又はそれよりもメインフィン３１側へ偏倚した箇所に設けられてもよい。
【０１４４】
＜カム部材６７について＞
・カム部材６７における各カム孔６９，７０（被係合部）及び長孔（伝達被係合部）は、カム部材６７を貫通しない溝部（カム溝）によって構成されてもよい。
【０１４５】
・第２実施形態において、駆動ギヤ９１と被動ギヤ９２との間に別のギヤが配置され、このギヤに駆動ギヤ９１及び被動ギヤ９２がそれぞれ噛み合わされてもよい。
＜適用箇所について＞
・上記空調用レジスタは、車室内においてインストルメントパネルとは異なる箇所に設けられる空調用レジスタにも適用可能である。
【０１４６】
・上記空調用レジスタは、空調装置から送られてきて室内に吹き出す空調用空気Ａの向きをフィンによって調整することのできるものであれば、車両に限らず広く適用可能である。
【０１４７】
＜その他＞
・上記空調用レジスタは、第１及び第２実施形態とは異なり、吹出口１４が縦長となるように配置される空調用レジスタにも適用可能である。この場合、上下方向が第１方向となり、車幅方向が第２方向となる。ケース１０において、上下方向に相対向する壁部が第１壁部２１となり、車幅方向に相対向する壁部が第２壁部２２となる。メインフィン３１及び補助フィン３３，３５は車幅方向に配列され、上流側フィン５０，５１は上下方向に配列されることとなる。
【０１４８】
・下流側フィン群は、一対の補助フィン３３，３５とメインフィン３１と、それらの間に配置される複数枚の中間フィンとからなるものであってもよい。
・上流側フィン５０，５１等、本発明の特徴部分とは直接関係のない部材、箇所等については、省略したり、形状・数等を変更したりする等、適宜に変更されてもよい。
【符号の説明】
【０１４９】
１０…ケース、２１…第１壁部、２２…第２壁部、２５〜２７…軸受部、３１…メインフィン、３２，３４，３６…フィン軸、３３，３５…補助フィン、６０…連動機構、６１，６３，６５…アーム、６２，６４，６６…伝達軸、６７…カム部材、６８…長孔（伝達被係合部）、６９，７０…カム孔（被係合部）、９１…駆動ギヤ、９２…被動ギヤ、Ｂ…伝達部。
【図１】
0005892127.tif 000002
【図２】
0005892127.tif 000003
【図３】
0005892127.tif 000004
【図４】
0005892127.tif 000005
【図５】
0005892127.tif 000006
【図６】
0005892127.tif 000007
【図７】
0005892127.tif 000008
【図８】
0005892127.tif 000009
【図９】
0005892127.tif 000010
【図１０】
0005892127.tif 000011
【図１１】
0005892127.tif 000012
【図１２】
0005892127.tif 000013
【図１３】
0005892127.tif 000014
【図１４】
0005892127.tif 000015
【図１５】
0005892127.tif 000016
【図１６】
0005892127.tif 000017
【図１７】
0005892127.tif 000018
【図１８】
0005892127.tif 000019
【図１９】
0005892127.tif 000020
【図２０】
0005892127.tif 000021
【図２１】
0005892127.tif 000022
【図２２】
0005892127.tif 000023
【図２３】
0005892127.tif 000024
【図２４】
0005892127.tif 000025
【図２５】
0005892127.tif 000026
【図２６】
0005892127.tif 000027
【図２７】
0005892127.tif 000028
【図２８】
0005892127.tif 000029
【図２９】
0005892127.tif 000030
【図３０】
0005892127.tif 000031